(57)【要約】【課題】配線ユニットを用いて効率よく屋内配線を行うことができ、間取り設計業者及び配線設計業者間のデータ交換を効率よく行うことができる屋内配線設計システム、中央装置、屋内配線設計方法及びコンピュータプログラムを提供する。【解決手段】住宅設計者に係る端末装置と、屋内ハーネスを集約した配線ユニットを提供する提供者に係る中央装置とがデータを送受信することが可能に接続されており、中央装置は、端末装置から住宅の間取図情報、及び電気器具を識別する情報に対応付けた配置情報を受信し、間取図情報に基づいて配線の制約条件を生成し、配置情報及び生成した制約条件に基づいて、配線ユニットの個数と配線ユニットから電気器具までの屋内ハーネスの長さの総計が可能な限り少なくなるよう配線ユニットを配置する位置を算出する。【選択図】図４
2007279916.tif 000002
【特許請求の範囲】
【請求項１】
住宅設計者に係る端末装置と、屋内ハーネスを集約した配線ユニットを提供する提供者に係る中央装置とがデータを送受信することが可能に接続されており、配線ユニットを一又は複数用いた屋内配線の設計を行う屋内配線設計システムにおいて、
前記端末装置は、
住宅の間取図情報、及び電気器具を識別する情報に対応付けた配置情報を前記中央装置へ送信する手段を備え、
前記中央装置は、
住宅の間取図情報、及び電気器具を識別する情報に対応付けた配置情報を受信する手段と、
前記間取図情報に基づいて配線の制約条件を生成する手段と、
前記配置情報及び生成した制約条件に基づいて、前記配線ユニットから電気器具までの屋内ハーネスの長さの総計が可能な限り少なくなるよう前記配線ユニットを設置する位置を算出する手段と
を備えることを特徴とする屋内配線設計システム。
【請求項２】
前記中央装置は、
任意の位置に配置した前記配線ユニットから延伸する屋内ハーネスごとに電気器具までの引き回し長さを算出する手段と、
算出した引き回し長さが前記配線ユニットから延伸する屋内ハーネスの最大長さより長い屋内ハーネスが存在するか否かを判断する手段と、
存在すると判断した場合、該屋内ハーネスを他の配線ユニットにより配線するようにし、存在しないと判断した場合、前記配線ユニットから延伸する屋内ハーネスの引き回し長さの総計を算出する手段と、
引き回し長さの総計が記憶してある最小値より小さいか否かを判断する手段と、
小さいと判断した場合、算出した引き回し長さの総計を最小値として記憶する手段と、
前記配線ユニットを配置する位置を、配置されている位置から単位距離離れている格子状の位置へ移動した場合の引き回し長さの総計を算出する手段と、
算出した引き回し長さの総計のうち最も短い引き回し長さの総計が、記憶されている最小値より小さいか否かを判断する手段と、
該手段で小さいと判断した場合、前記配線ユニットを配置する位置を対応する位置へ移動して、算出した引き回し長さの総計のうち最も短い引き回し長さの総計を、最小値として記憶する手段と、
上述した処理を、算出した引き回し長さの総計のうち最も短い引き回し長さの総計が、記憶されている最小値以上となるまで繰り返す手段と
を備え、
最小値として記憶してある引き回し長さの総計を算出した配線ユニットの配置を、設置位置とするようにしてあることを特徴とする請求項１記載の屋内配線設計システム。
【請求項３】
前記制約条件は、
間取図情報に基づいた屋内ハーネスを直接的に引き回しすることが可能であるか否かに関する情報であることを特徴とする請求項１又は２記載の屋内配線設計システム。
【請求項４】
前記間取図情報は図面データであり、
前記中央装置は、
受信した前記間取図情報を記憶手段に記憶する手段と、
算出した前記配線ユニットを設置する位置を前記間取図情報に追加する手段と
を備えることを特徴とする請求項１乃至３のいずれか一項に記載の屋内配線設計システム。
【請求項５】
住宅設計者に係る端末装置と、データを送受信することが可能に接続されており、ハーネスを集約した配線ユニットを一又は複数用いた屋内配線の設計を行う中央装置において、
住宅の間取図情報、及び電気器具を識別する情報に対応付けた配置情報を外部から取得する手段と、
前記間取図情報に基づいて配線の制約条件を生成する手段と、
前記配置情報及び生成した制約条件に基づいて、前記配線ユニットから電気器具までの屋内ハーネスの長さの総計が可能な限り少なくなるよう前記配線ユニットを設置する位置を算出する手段と
を備えることを特徴とする中央装置。
【請求項６】
任意の位置に配置した前記配線ユニットから延伸する屋内ハーネスごとに電気器具までの引き回し長さを算出する手段と、
算出した引き回し長さが前記配線ユニットから延伸する屋内ハーネスの最大長さより長い屋内ハーネスが存在するか否かを判断する手段と、
存在すると判断した場合、該屋内ハーネスを他の配線ユニットにより配線するようにし、存在しないと判断した場合、前記配線ユニットから延伸する屋内ハーネスの引き回し長さの総計を算出する手段と、
引き回し長さの総計が記憶してある最小値より小さいか否かを判断する手段と、
小さいと判断した場合、算出した引き回し長さの総計を最小値として記憶する手段と、
前記配線ユニットを配置する位置を、配置されている位置から単位距離離れている格子状の位置へ移動した場合の引き回し長さの総計を算出する手段と、
算出した引き回し長さの総計のうち最も短い引き回し長さの総計が、記憶されている最小値より小さいか否かを判断する手段と、
該手段で小さいと判断した場合、前記配線ユニットを配置する位置を対応する位置へ移動して、算出した引き回し長さの総計のうち最も短い引き回し長さの総計を、最小値として記憶する手段と、
上述した処理を、算出した引き回し長さの総計のうち最も短い引き回し長さの総計が、記憶されている最小値以上となるまで繰り返す手段と
を備え、
最小値として記憶してある引き回し長さの総計を算出した配線ユニットの配置を、設置位置とするようにしてあることを特徴とする請求項５記載の中央装置。
【請求項７】
前記制約条件は、
間取図情報に基づいた屋内ハーネスを直接的に引き回しすることが可能であるか否かに関する情報であることを特徴とする請求項５又は６記載の中央装置。
【請求項８】
前記間取図情報は図面データであり、
取得した前記間取図情報を記憶手段に記憶する手段と、
算出した前記配線ユニットを設置する位置を前記間取図情報に追加する手段と
を備えることを特徴とする請求項５乃至７のいずれか一項に記載の中央装置。
【請求項９】
住宅設計者に係る端末装置と、屋内ハーネスを集約した配線ユニットを提供する提供者に係る中央装置とがデータを送受信することが可能に接続されており、配線ユニットを一又は複数用いた屋内配線の設計を行う屋内配線設計方法において、
前記端末装置は、
住宅の間取図情報、及び電気器具を識別する情報に対応付けた配置情報を前記中央装置へ送信し、
前記中央装置は、
住宅の間取図情報、及び電気器具を識別する情報に対応付けた配置情報を受信し、
前記間取図情報に基づいて配線の制約条件を生成し、
前記配置情報及び生成した制約条件に基づいて、前記配線ユニットから電気器具までの屋内ハーネスの長さの総計が可能な限り少なくなるよう前記配線ユニットを設置する位置を算出することを特徴とする屋内配線設計方法。
【請求項１０】
住宅設計者に係る端末装置と、データを送受信することが可能に接続されており、屋内ハーネスを集約した配線ユニットを一又は複数用いた屋内配線の設計を行う中央装置で実行可能なコンピュータプログラムにおいて、
前記中央装置を、
住宅の間取図情報、及び電気器具を識別する情報に対応付けた配置情報を外部から取得する手段、
前記間取図情報に基づいて配線の制約条件を生成する手段、及び
前記配置情報及び生成した制約条件に基づいて、前記配線ユニットから電気器具までの屋内ハーネスの長さの総計が可能な限り少なくなるよう前記配線ユニットを設置する位置を算出する手段
として機能させることを特徴とするコンピュータプログラム。
【発明の詳細な説明】
【技術分野】
【０００１】
本発明は、屋内ハーネスを集約した配線ユニットを効果的に配置することができ、間取り設計者と屋内配線設計者とのデータ交換を容易かつ確実に行うことができる屋内配線設計システム、中央装置、屋内配線設計方法及びコンピュータプログラムに関する。
【背景技術】
【０００２】
近年の電気機器の普及により、住宅を建築する場合の電装工程は急速に増加している。特に、屋内配線の施行時には、必要な屋内ハーネス、コンセント、スイッチ等の各種部材を施行現場に持ち込み、現場でのレイアウトに合致するよう加工しつつ屋内配線を行っていた。
【０００３】
しかし、現場合わせで配線加工を行う場合、加工による廃材が大量に発生し、廃材処分の工数が増加するという問題点があった。また、現場合わせを正確に行うためには作業者に熟練が要求され、職人の確保が困難になるという問題点もあった。
【０００４】
斯かる問題点を解消すべく、例えば特許文献１に開示してあるＬＡＮ敷設方法と同様に、屋内配線用の屋内ハーネスを集約した配線ユニットを用い、配線ユニットを取り付けた位置からの屋内ハーネス長さを設計段階で確定しておくことで、現場合わせを行う必要がなく、無駄の無い屋内配線工事を行うことが可能となっている。
【特許文献１】特開２００１−１３６６３９号公報
【発明の開示】
【発明が解決しようとする課題】
【０００５】
上述した配線ユニットを用いた屋内配線設計では、室内の間取図情報に基づいて屋内ハーネス長さを決定する。したがって、間取図情報が正確であることが要求されるとともに、情報を共有することにより、さらなる設計工数の低減が期待できる。
【０００６】
しかし、住宅の間取りを設計する設計者と、屋内の配線設計を行う設計者とは、一般に異なる事業主体に所属する機会がほとんどであり、例えば間取図情報を電子データで交換を行うことができず、紙面による情報交換しかできない場合も多い。この場合、配線設計を行う設計者は新たに図面を作成する必要が有り、設計工数の短縮に結びつかないという問題点があった。
【０００７】
また、電子データで交換を行うことができた場合であっても、一般に図面データの互換性は寸法データに対して保証されない場合が多く、ベクトルデータについても別途変換用のソフトウェアを起動する必要が有る等、同一のソフトウェアで作成した場合以外は、設計工数を低減する度合が小さいという問題点が残されていた。
【０００８】
さらに、配線設計を行う事業者は、多数の間取り設計業者から間取りに関する情報を取得することが多く、すべての間取設計業者に対して図面データの完全互換を保証することは現実的に困難であるという問題点もあった。
【０００９】
本発明は、斯かる事情に鑑みてなされたものであり、配線ユニットを用いて効率よく屋内配線を行うことができ、間取設計業者及び配線設計業者間のデータ交換を効率よく行うことができる屋内配線設計システム、中央装置、屋内配線設計方法及びコンピュータプログラムを提供することを目的とする。
【課題を解決するための手段】
【００１０】
上記目的を達成するために第１発明に係る屋内配線設計システムは、住宅設計者に係る端末装置と、屋内ハーネスを集約した配線ユニットを提供する提供者に係る中央装置とがデータを送受信することが可能に接続されており、配線ユニットを一又は複数用いた屋内配線の設計を行う屋内配線設計システムにおいて、前記端末装置は、住宅の間取図情報、及び電気器具を識別する情報に対応付けた配置情報を前記中央装置へ送信する手段を備え、前記中央装置は、住宅の間取図情報、及び電気器具を識別する情報に対応付けた配置情報を受信する手段と、前記間取図情報に基づいて配線の制約条件を生成する手段と、前記配置情報及び生成した制約条件に基づいて、前記配線ユニットから電気器具までの屋内ハーネスの長さの総計が可能な限り少なくなるよう前記配線ユニットを設置する位置を算出する手段とを備えることを特徴とする。
【００１１】
また、第２発明に係る屋内配線設計システムは、第１発明において、前記中央装置は、任意の位置に配置した前記配線ユニットから延伸する屋内ハーネスごとに電気器具までの引き回し長さを算出する手段と、算出した引き回し長さが前記配線ユニットから延伸する屋内ハーネスの最大長さより長い屋内ハーネスが存在するか否かを判断する手段と、存在すると判断した場合、該屋内ハーネスを他の配線ユニットにより配線するようにし、存在しないと判断した場合、前記配線ユニットから延伸する屋内ハーネスの引き回し長さの総計を算出する手段と、引き回し長さの総計が記憶してある最小値より小さいか否かを判断する手段と、小さいと判断した場合、算出した引き回し長さの総計を最小値として記憶する手段と、前記配線ユニットを配置する位置を、配置されている位置から単位距離離れている格子状の位置へ移動した場合の引き回し長さの総計を算出する手段と、算出した引き回し長さの総計のうち最も短い引き回し長さの総計が、記憶されている最小値より小さいか否かを判断する手段と、該手段で小さいと判断した場合、前記配線ユニットを配置する位置を対応する位置へ移動して、算出した引き回し長さの総計のうち最も短い引き回し長さの総計を、最小値として記憶する手段と、上述した処理を、算出した引き回し長さの総計のうち最も短い引き回し長さの総計が、記憶されている最小値以上となるまで繰り返す手段とを備え、最小値として記憶してある引き回し長さの総計を算出した配線ユニットの配置を、設置位置とするようにしてあることを特徴とする。
【００１２】
また、第３発明に係る屋内配線設計システムは、第１又は第２発明において、前記制約条件は、間取図情報に基づいた屋内ハーネスを直接的に引き回しすることが可能であるか否かに関する情報であることを特徴とする。
【００１３】
また、第４発明に係る屋内配線設計システムは、第１乃至第３発明のいずれか１つにおいて、前記間取図情報は図面データであり、前記中央装置は、受信した前記間取図情報を記憶手段に記憶する手段と、算出した前記配線ユニットを設置する位置を前記間取図情報に追加する手段とを備えることを特徴とする。
【００１４】
また、第５発明に係る中央装置は、住宅設計者に係る端末装置と、データを送受信することが可能に接続されており、ハーネスを集約した配線ユニットを一又は複数用いた屋内配線の設計を行う中央装置において、住宅の間取図情報、及び電気器具を識別する情報に対応付けた配置情報を外部から取得する手段と、前記間取図情報に基づいて配線の制約条件を生成する手段と、前記配置情報及び生成した制約条件に基づいて、前記配線ユニットから電気器具までの屋内ハーネスの長さの総計が可能な限り少なくなるよう前記配線ユニットを設置する位置を算出する手段とを備えることを特徴とする。
【００１５】
また、第６発明に係る中央装置は、第５発明において、任意の位置に配置した前記配線ユニットから延伸する屋内ハーネスごとに電気器具までの引き回し長さを算出する手段と、算出した引き回し長さが前記配線ユニットから延伸する屋内ハーネスの最大長さより長い屋内ハーネスが存在するか否かを判断する手段と、存在すると判断した場合、該屋内ハーネスを他の配線ユニットにより配線するようにし、存在しないと判断した場合、前記配線ユニットから延伸する屋内ハーネスの引き回し長さの総計を算出する手段と、引き回し長さの総計が記憶してある最小値より小さいか否かを判断する手段と、小さいと判断した場合、算出した引き回し長さの総計を最小値として記憶する手段と、前記配線ユニットを配置する位置を、配置されている位置から単位距離離れている格子状の位置へ移動した場合の引き回し長さの総計を算出する手段と、算出した引き回し長さの総計のうち最も短い引き回し長さの総計が、記憶されている最小値より小さいか否かを判断する手段と、該手段で小さいと判断した場合、前記配線ユニットを配置する位置を対応する位置へ移動して、算出した引き回し長さの総計のうち最も短い引き回し長さの総計を、最小値として記憶する手段と、上述した処理を、算出した引き回し長さの総計のうち最も短い引き回し長さの総計が、記憶されている最小値以上となるまで繰り返す手段とを備え、最小値として記憶してある引き回し長さの総計を算出した配線ユニットの配置を、設置位置とするようにしてあることを特徴とする。
【００１６】
また、第７発明に係る中央装置は、第５又は第６発明において、前記制約条件は、間取図情報に基づいた屋内ハーネスを直接的に引き回しすることが可能であるか否かに関する情報であることを特徴とする。
【００１７】
また、第８発明に係る中央装置は、第５乃至第７発明のいずれか１つにおいて、前記間取図情報は図面データであり、取得した前記間取図情報を記憶手段に記憶する手段と、算出した前記配線ユニットを設置する位置を前記間取図情報に追加する手段とを備えることを特徴とする。
【００１８】
また、第９発明に係る屋内配線設計方法は、住宅設計者に係る端末装置と、屋内ハーネスを集約した配線ユニットを提供する提供者に係る中央装置とがデータを送受信することが可能に接続されており、配線ユニットを一又は複数用いた屋内配線の設計を行う屋内配線設計方法において、前記端末装置は、住宅の間取図情報、及び電気器具を識別する情報に対応付けた配置情報を前記中央装置へ送信し、前記中央装置は、住宅の間取図情報、及び電気器具を識別する情報に対応付けた配置情報を受信し、前記間取図情報に基づいて配線の制約条件を生成し、前記配置情報及び生成した制約条件に基づいて、前記配線ユニットから電気器具までの屋内ハーネスの長さの総計が可能な限り少なくなるよう前記配線ユニットを設置する位置を算出することを特徴とする。
【００１９】
また、第１０発明に係るコンピュータプログラムは、住宅設計者に係る端末装置と、データを送受信することが可能に接続されており、屋内ハーネスを集約した配線ユニットを一又は複数用いた屋内配線の設計を行う中央装置で実行可能なコンピュータプログラムにおいて、前記中央装置を、住宅の間取図情報、及び電気器具を識別する情報に対応付けた配置情報を外部から取得する手段、前記間取図情報に基づいて配線の制約条件を生成する手段、及び前記配置情報及び生成した制約条件に基づいて、前記配線ユニットから電気器具までの屋内ハーネスの長さの総計が可能な限り少なくなるよう前記配線ユニットを設置する位置を算出する手段として機能させることを特徴とする。
【００２０】
第１発明、第５発明、第９発明及び第１０発明では、中央装置が、端末装置から住宅の間取図情報、及び電気器具を識別する情報に対応付けた配置情報を取得し、取得した間取図情報に基づいて配線の制約条件を生成する。配置情報及び生成した制約条件に基づいて、配線ユニットから電気器具までの屋内ハーネスの長さの総計が可能な限り少なくなるよう配線ユニットを設置する位置を算出する。これにより、端末装置を間取り設計を行う事業者に、中央装置を配線設計を行う事業者に、それぞれ配置した場合、中央装置に住宅の間取図情報、及び電気器具を識別する情報に対応付けた配置情報を集約することができ、屋内の配線設計時に配線設計を行う事業者が新たに間取図を作成する必要がない。したがって、例えば簡易型の共通図面作成ソフトウェアを端末装置に導入する、又はＡＳＰサービスと同様に中央装置に導入した図面作成ソフトウェアを端末装置で共同利用することにより、間取図情報を含む図面データの完全互換を実現し、配線ユニットを用いた屋内配線の設計工数を低減することが可能となる。
【００２１】
また、例えば窓の存在、吹き抜けの存在等を制約条件として天井面、壁面、床面に沿った直線距離のうち最も短い距離となる配線経路を選択することができ、配線ユニットに集約してある屋内ハーネス長さを最小限に止めることができ、トータルコストの低減を図ることが可能となる。
【００２２】
第２発明、及び第６発明では、任意の位置に配置した配線ユニットから延伸する屋内ハーネスごとに電気器具までの引き回し長さを算出し、算出した引き回し長さが配線ユニットから延伸する屋内ハーネスの最大長さ、例えば３０ｍより長い屋内ハーネスが存在するか否かを判断する。存在すると判断した場合、該屋内ハーネスを他の配線ユニットにより配線する。存在しないと判断した場合、配線ユニットから延伸する屋内ハーネスの引き回し長さの総計を算出し、算出した引き回し長さの総計が記憶してある最小値より小さいか否かを判断する。小さいと判断した場合、算出した引き回し長さの総計を最小値として記憶する。配線ユニットを配置する位置を、配置されている位置から単位距離離れている格子状の位置へ移動した場合の引き回し長さの総計を算出し、算出した引き回し長さの総計のうち最も短い引き回し長さの総計が、記憶されている最小値より小さいか否かを判断する。小さいと判断した場合、配線ユニットを配置する位置を対応する位置へ移動して、算出した引き回し長さの総計のうち最も短い引き回し長さの総計を、最小値として記憶する。このような処理を、算出した引き回し長さの総計のうち最も短い引き回し長さの総計が、記憶されている最小値以上となるまで繰り返す。最小値として記憶してある引き回し長さの総計を算出した配線ユニットの配置を、設置位置とする。これにより、１つの室内に複数の配線ユニットを配置する場合であっても無駄なく配置することができ、配線ユニットの屋内ハーネス長さの総計を可能な限り短くすることができ、部品コストを最小限に止めることが可能となる。
【００２３】
第３発明、及び第７発明では、制約条件は、間取図情報に基づいた屋内ハーネスを直接的に引き回しすることが可能であるか否かに関する情報である。これにより、例えば窓の存在、吹き抜けの存在等を制約条件として天井面、壁面、床面に沿った直線距離のうち最も短い距離となる配線経路を選択することができ、配線ユニットに集約してある屋内ハーネス長さを最小限に止めることができ、トータルコストの低減を図ることが可能となる。
【００２４】
第４発明、及び第８発明では、間取図情報は図面データであり、取得した間取図情報を記憶手段に記憶し、算出した配線ユニットを設置する位置を記憶してある間取図情報に追加する。これにより、配線ユニットを用いた屋内配線用に新たな図面データを作成することなく、間取り設計を行った図面に配線設計の結果を追加することが可能となる。
【発明の効果】
【００２５】
本発明によれば、端末装置を間取り設計を行う事業者に、中央装置を配線設計を行う事業者に、それぞれ配置した場合、中央装置に住宅の間取図情報、及び電気器具を識別する情報に対応付けた配置情報を集約することができ、屋内の配線設計時に配線設計を行う事業者が新たに間取図を作成する必要がない。したがって、例えば簡易型の共通図面作成ソフトウェアを端末装置に導入する、又はＡＳＰサービスと同様に中央装置に導入した図面作成ソフトウェアを端末装置で共同利用することにより、間取図情報を含む図面データの完全互換を実現し、配線ユニットを用いた屋内配線の設計工数を低減することが可能となる。
【００２６】
また、例えば窓の存在、吹き抜けの存在等を制約条件として天井面、壁面、床面に沿った直線距離のうち最も短い距離となる配線経路を選択することができ、配線ユニットに集約してある屋内ハーネス長さを最小限に止めることができ、トータルコストの低減を図ることが可能となる。
【発明を実施するための最良の形態】
【００２７】
図１は、本発明の実施の形態に係る屋内配線設計システムの構成を示す模式図である。本実施の形態では、屋内の配線を設計する配線設計事業者に中央装置１を配置し、インターネット等のネットワーク網２を介してデータを送受信することが可能に接続してある端末装置３、３、・・・が住宅の間取りを設計する間取設計事業者に配置してある。端末装置３、３、・・・は、配線設計事業者にも配置してある。間取り図の設計、屋内配線の設計等に使用する図面作成ソフトウェアは、中央装置１に導入しておき、ネットワーク網２を介して端末装置３、３、・・・において使用可能となっている。
【００２８】
図２は、本発明の実施の形態に係る屋内配線設計システムの中央装置１の構成を示すブロック図である。中央装置１は、少なくともＣＰＵ１１、記憶手段１２、ＲＡＭ１３、入力手段１４、出力手段１５、通信インタフェース部１６、及びＤＶＤ、ＣＤ等の可搬型記憶媒体１８を用いる補助記憶手段１７で構成してある。
【００２９】
ＣＰＵ１１は、内部バス１９を介して中央装置１の上述したようなハードウェア各部と接続されており、上述したハードウェア各部を制御するとともに、記憶手段１２に記憶されている処理プログラム、例えばＣＡＤ等の図面作成プログラム、屋内ハーネスの配線上の制約条件を生成する制約条件生成プログラム、配線ユニットの配置を特定する配置特定プログラム等に従って、種々のソフトウェア的機能を実行する。
【００３０】
記憶手段１２は、内蔵される固定型記憶装置（ハードディスク）、ＲＯＭ等で構成され、通信インタフェース部１６を介した外部のコンピュータ、又はＤＶＤ、ＣＤ−ＲＯＭ等の可搬型記憶媒体１８から取得した、中央装置１として機能させるために必要な処理プログラムを記憶している。記憶手段１２は、処理プログラムだけではなく、電気器具を識別する情報に対応付けて電気器具の配置条件を記憶してある電気器具情報記憶部１２１、及び間取り図上の部屋を識別する情報に対応付けて配線の制約条件を記憶する制約条件記憶部１２２等を備えている。
【００３１】
ＲＡＭ１３は、ＤＲＡＭ等で構成され、ソフトウェアの実行時に発生する一時的なデータを記憶する。通信インタフェース部１６は内部バス１９に接続されており、外部のネットワーク網と通信することができるよう接続することにより、処理に必要なデータを送受信することができる。
【００３２】
入力手段１４は、図面作成プログラムへの入力を受け付けるキーボード、マウス等である。なお入力手段１４はキーボード、マウス等に限定されるものではなく、タブレット等のポインティングデバイスであっても良い。出力手段１５は、作成した図面データを表示出力するＣＲＴ、ＬＣＤ等の表示装置、及び作成した図面データを印刷出力するレーザプリンタ、インクジェットプリンタ等の印刷装置である。
【００３３】
補助記憶手段１７は、ＣＤ、ＤＶＤ等の可搬型記憶媒体１８を用い、記憶手段１２へ、ＣＰＵ１１が処理するプログラム、データ等をダウンロードする。また、ＣＰＵ１１が処理したデータをバックアップすべく書き込むことも可能である。
【００３４】
なお、本実施の形態では、配線設計を図面データに基づいて行う場合について説明しているが、特にこれに限定されるものではなく、電子データを介して配線設計事業者と間取設計事業者とが協働して住宅設計を行うことができる方法であれば何でも良い。
【００３５】
図３は、本発明の実施の形態に係る屋内配線設計システムの端末装置３の構成を示すブロック図である。端末装置３は、少なくともＣＰＵ３１、ＲＡＭ３２、入力手段３３、出力手段３４、通信インタフェース部３５、及び補助記憶手段３６で構成してある。
【００３６】
ＣＰＵ３１は、内部バス３８を介して端末装置３の上述したようなハードウェア各部と接続されており、上述したハードウェア各部を制御するとともに、ＲＡＭ３２に記憶されている処理プログラム、例えばウェブブラウザ等に従って、中央装置３で実行されるプログラムとデータ交換を行う。
【００３７】
ＲＡＭ３２は、ＤＲＡＭ等で構成され、ブラウザ等を展開して中央装置３で実行されているプログラムとデータ交換する。通信インタフェース部３５は内部バス３８に接続されており、外部のネットワーク網２と通信することができるよう接続することにより、処理に必要なデータを送受信することができる。
【００３８】
入力手段３３は、図面作成プログラムへの入力を受け付けるキーボード、マウス等である。なお入力手段３３はキーボード、マウス等に限定されるものではなく、タブレット等のポインティングデバイスであっても良い。出力手段３４は、作成した図面データを表示出力するＣＲＴ、ＬＣＤ等の表示装置、及び作成した図面データを印刷出力するレーザプリンタ、インクジェットプリンタ等の印刷装置である。
【００３９】
補助記憶手段３６は、ＣＤ、ＤＶＤ等の可搬型記憶媒体３７を用い、ＲＡＭ３２へ、ＣＰＵ３１が処理するプログラム、データ等をダウンロードする。また、ＣＰＵ３１が処理したデータをオフラインで受け渡しすべく、可搬型記憶媒体３７へ書き込むことも可能である。
【００４０】
図４は、本発明の実施の形態に係る屋内配線設計システムの中央装置１のＣＰＵ１１の処理手順を示すフローチャートである。中央装置１のＣＰＵ１１は、端末装置３から間取図情報を図面データとして受け付ける（ステップＳ４０１）。また、ＣＰＵ１１は、間取図情報に対応した電気器具の配置に関する情報を端末装置３から受け付け(ステップＳ４０２)、記憶手段１２の電気器具情報記憶部１２１に記憶する。
【００４１】
図５は、本発明の実施の形態に係る電気器具情報記憶部１２１のデータ構成の例示図である。図５の例では、受け付けた間取図の部屋を識別する情報である部屋ＩＤごとに、配置されているコンセント等の電気器具の位置に関する情報、使用される電線の種別等を記憶している。電気器具の位置に関する情報は、図５の例では、部屋の所定の位置を原点とした三次元座標値として記憶している。
【００４２】
ＣＰＵ１１は、端末装置３から受け付けた間取図情報に基づいて、配線における制約条件を生成して（ステップＳ４０３）、記憶手段１２の制約条件記憶部１２２に記憶する。ここで、制約条件とは、住居の屋内に配線する屋内ハーネスを束状に集約してある配線ユニットを用いて配線する場合に、屋内ハーネスの長さを最小限にすべく直線的に配線することが困難となる条件を意味しており、例えば窓の存在、吹き抜けの存在等に関する情報をいう。
【００４３】
図６は、本発明の実施の形態に係る制約条件記憶部１２２のデータ構成の例示図である。図６の例では、受け付けた間取図の部屋を識別する情報である部屋ＩＤごとに、制約条件である窓、吹き抜け等の位置に関する情報等を記憶している。窓、吹き抜け等の位置に関する情報は、図６の例では、部屋の所定の位置を原点とした三次元座標値として記憶している。
【００４４】
ＣＰＵ１１は、電気器具情報記憶部１２１に記憶した電気器具の配置に関する情報、及び制約条件記憶部１２２に記憶した配線における制約条件に基づいて、配線ユニットの個数及び配線ユニットから電気器具までの屋内ハーネスの長さの総計が最小限となるよう配線ユニットを配置する位置を算出する(ステップＳ４０４)。ＣＰＵ１１は、算出した配線ユニットを配置する位置、例えば座標値を出力手段１５へ出力する(ステップＳ４０５)。配線ユニットを配置する位置の算出方法は、例えば以下の方法を用いる。
【００４５】
図７は、本発明の実施の形態に係る屋内配線設計システムの中央装置１のＣＰＵ１１の配線ユニットを配置する位置の算出処理の手順を示すフローチャートである。中央装置１のＣＰＵ１１は、配線ユニットの配置位置を算出する対象となる部屋の部屋ＩＤを選択し(ステップＳ７０１)、部屋ＩＤをキー情報として電気器具情報記憶部１２１及び制約条件記憶部１２２を照会し、配置する電気器具の位置に関する情報及び制約条件を抽出する(ステップＳ７０２)。
【００４６】
ＣＰＵ１１は、配線ユニットを配置する初期位置として、配線ユニットの配置位置を算出する対象となる部屋の天井面の略中央の座標値を算出する(ステップＳ７０３)。ＣＰＵ１１は、配線ユニットを算出した座標値へ配置した場合の、各屋内ハーネスの引き回し長さを算出する(ステップＳ７０４)。
【００４７】
図８は、屋内ハーネスの引き回し長さの算出方法を模式的に示す図であり、図８（ａ）は、配線ユニットの配置位置を算出する対象となる部屋の部分平面図であり、図８（ｂ）は、配線ユニットの配置位置を算出する対象となる部屋の部分側面図である。
【００４８】
図８において、配線ユニットＡは天井部に配置してあり、屋内ハーネスは天井面、壁面に沿って、室内に配置してある各電気器具、例えば照明Ａ１、コンセントＡ２へと引き回しする。天井面に吹き抜けＢが存在しない場合、壁面に窓Ｗが存在しない場合等に、屋内ハーネス長さが最も短くなるように引き回すには、屋内ハーネスを直線的に照明Ａ１、コンセントＡ２へと引き回しすることが好ましい。斯かる最短経路をそれぞれ引き回し経路Ｐ１、Ｐ２とする。
【００４９】
しかし、抽出した制約条件によっては、引き回し経路Ｐ１、Ｐ２の途上に、天井面に吹き抜けＢが存在する場合、壁面に窓Ｗが存在する場合等がある。この場合、屋内ハーネス長さが最も短くなるように引き回すには、屋内ハーネスを迂回経路Ｑ１、Ｑ２を経由して照明Ａ１、コンセントＡ２へと引き回しすることになる。ＣＰＵ１１は、抽出した制約条件に基づいて、迂回経路Ｑ１、Ｑ２を含む引き回し長さを算出する。
【００５０】
ＣＰＵ１１は、算出した引き回し長さが第１の限界値、例えば３０ｍより長い屋内ハーネスが存在するか否かを判断し(ステップＳ７０５)、ＣＰＵ１１が、引き回し長さが第１の限界値より長い屋内ハーネスが存在すると判断した場合（ステップＳ７０５：ＹＥＳ）、ＣＰＵ１１は、引き回し長さが第１の限界値より長い屋内ハーネスで接続していた電気器具を他の配線ユニットからの屋内ハーネスにより配線すべく、屋内ハーネスの引き回し長さの総計の算出対象から除外する(ステップＳ７０６)。これにより、例えばホール、広いリビング等のように配線ユニットを複数配置する必要がある室内に対する配線設計時に、最小限の個数の配線ユニットで屋内配線を設計することができ、配線ユニットの部品コストを最小に抑えることが可能となる。
【００５１】
ＣＰＵ１１が、引き回し長さが第１の限界値より長い屋内ハーネスが存在しないと判断した場合（ステップＳ７０５：ＮＯ）、ＣＰＵ１１は、引き回し長さの総計を算出する(ステップＳ７０７)。
【００５２】
ＣＰＵ１１は、算出した屋内ハーネスの引き回し長さの総計が第２の限界値より小さいか否かを判断する(ステップＳ７０８)。ＣＰＵ１１が、屋内ハーネスの引き回し長さの総計が第２の限界値より小さいと判断した場合(ステップＳ７０８：ＹＥＳ)、ＣＰＵ１１は、算出した引き回し長さの総計を第２の限界値としてＲＡＭ１３に記憶し(ステップＳ７０９)、配線ユニットの配置を、所定の規則に従って変更して(ステップＳ７１０)、ステップＳ７０４へ戻る。なお、第２の限界値は、引き回し長さの総計の最小値を求めるための数値であることから、初期値として過大な値、例えば２００ｍ等に設定しておくことが好ましい。
【００５３】
ＣＰＵ１１が、屋内ハーネスの引き回し長さの総計が第２の限界値以上であると判断した場合(ステップＳ７０８：ＮＯ)、ＣＰＵ１１は、ステップＳ４０５へ戻り、ＲＡＭ１３に記憶してある第２の限界値を算出した配線ユニットが配置してある座標値を、配線ユニットの配置位置の算出結果として出力手段１５へ出力する(ステップＳ４０５)。
【００５４】
図９は、本発明の実施の形態に係る屋内配線設計システムの中央装置１のＣＰＵ１１の配線ユニットを配置する位置の変更処理の手順を示すフローチャートである。中央装置１のＣＰＵ１１は、配線ユニットの配置位置の座標値を、配置されている位置から単位距離離れている格子点の座標値へ更新する（ステップＳ９０１）。
【００５５】
図１０は、１ｍ間隔の格子状の位置へ配線ユニットの配置位置を変更する場合の、変更可能位置を示す図である。図１０に示すように、配線ユニットの配置位置がＲであった場合、縦横の格子点の位置Ｒ１乃至Ｒ８の８箇所のいずれかへ変更する。ＣＰＵ１１は、変更位置である格子点ごとに配線ユニットの引き回し長さの総計を算出する（ステップＳ９０２）。
【００５６】
ＣＰＵ１１は、算出した８箇所における引き回し長さの総計のうち最も短い引き回し長さの総計が、ＲＡＭ１４に記憶されている最小値、すなわち第２の限界値より小さいか否かを判断する（ステップＳ９０３）。ＣＰＵ１１が、小さいと判断した場合（ステップＳ９０３：ＹＥＳ）、ＣＰＵ１１は、配線ユニットの配置位置を第２の限界値より小さい格子点位置へと移動し（ステップＳ９０４）、算出した引き回し長さの総計のうち最も短い引き回し長さの総計を、第２の限界値、すなわち最小値としてＲＡＭ１４に記憶する（ステップＳ９０５）。ＣＰＵ１１は、処理をステップＳ７０４へ戻し、上述した処理を繰り返す。
【００５７】
ＣＰＵ１１が、算出した８箇所における引き回し長さの総計のうち最も短い引き回し長さの総計が、ＲＡＭ１４に記憶されている最小値、すなわち第２の限界値以上であると判断した場合（ステップＳ９０３：ＮＯ）、ＣＰＵ１１は、現在の配線ユニットの配置位置の座標値が最適であると判断して、配線ユニットの配置位置を変更しない。
【００５８】
なお、上述した配線ユニットの配置位置を特定するための繰り返し処理は、処理回数を計数するカウンタを備えておき、所定の回数繰り返した時点で処理を終了しても良い。仮想的な格子状の配置位置を特定する単位長さによっては、一意に定まらない場合も想定されるからである。実装上は、３回繰り返し処理を実行すれば、引き回し長さの総計が最小値に近接している配線ユニットの配置位置を特定することができる。
【００５９】
ＣＰＵ１１は、取得した間取図情報を記憶手段１２に記憶しておき、算出した配線ユニットを配置する位置を間取図情報に追加することが好ましい。すなわち、座標値は三次元座標で記憶してあるが、電気器具ごとに設置する高さは一定値である電気器具がほとんどである。したがって、例えば電気器具がコンセントである場合、高さは１５ｃｍと一定値であり、照明である場合、高さは２ｍと一定値である旨等を電気器具情報記憶部１２１に記憶しておくことにより、電気器具を識別しさえすれば設置する高さを特定することが可能である。
【００６０】
そこで、同様に配置ユニットを配置する高さが、天井面の上に配置する約２．５ｍである旨を記憶手段１２に記憶しておく。そして、図８（ａ）のような間取り平面図に配置ユニットの平面座標値をプロットして出力手段１５から出力することにより、間取設計事業者から受け付けた間取図情報である図面データに、配線設計事業者が配線ユニットを含む電気器具の配置座標をプロットする。これにより、共通の図面データを活用して異なる事業主体が同一の住宅に対する設計作業を行うことができ、データ互換性を考慮することなく効率よく設計作業を行うことが可能となる。
【００６１】
なお、本実施の形態においては、ＡＳＰサービスのように、中央装置１に図面作成プログラムを導入しておき、端末装置３、３、・・・で共通のプログラムを使用して設計作業を行う場合について説明しているが、斯かる形態に限定されるものではなく、例えば簡易型の共通図面作成ソフトウェアを端末装置３、３、・・に導入しておき、設計結果として図面データのみを中央装置１で集中管理する形態であっても同様の効果が期待できる。
【図面の簡単な説明】
【００６２】
【図１】本発明の実施の形態に係る屋内配線設計システムの構成を示す模式図である。
【図２】本発明の実施の形態に係る屋内配線設計システムの中央装置の構成を示すブロック図である。
【図３】本発明の実施の形態に係る屋内配線設計システムの端末装置の構成を示すブロック図である。
【図４】本発明の実施の形態に係る屋内配線設計システムの中央装置のＣＰＵの処理手順を示すフローチャートである。
【図５】本発明の実施の形態に係る電気器具情報記憶部のデータ構成の例示図である。
【図６】本発明の実施の形態に係る制約条件記憶部のデータ構成の例示図である。
【図７】本発明の実施の形態に係る屋内配線設計システムの中央装置のＣＰＵの配線ユニットを配置する位置の算出処理の手順を示すフローチャートである。
【図８】屋内ハーネスの引き回し長さの算出方法を模式的に示す図である。
【図９】本発明の実施の形態に係る屋内配線設計システムの中央装置のＣＰＵの配線ユニットを配置する位置の変更処理の手順を示すフローチャートである。
【図１０】１ｍ間隔の格子状の位置へ配線ユニットの配置位置を変更する場合の、変更可能位置を示す図である。
【符号の説明】
【００６３】
１  中央装置
２  ネットワーク網
３  端末装置
１１、３１  ＣＰＵ
１２  記憶手段
１３、３２  ＲＡＭ
１４、３３  入力手段
１５、３４  出力手段
１６、３５  通信インタフェース部
１７、３６  補助記憶手段
１２１  電気器具情報記憶部
１２２  制約条件記憶部
【図１】
2007279916.tif 000003
【図２】
2007279916.tif 000004
【図３】
2007279916.tif 000005
【図４】
2007279916.tif 000006
【図５】
2007279916.tif 000007
【図６】
2007279916.tif 000008
【図７】
2007279916.tif 000009
【図８】
2007279916.tif 000010
【図９】
2007279916.tif 000011
【図１０】
2007279916.tif 000012